(57)【要約】【課題】髪留め具の機能と装身具の機能を兼ね備えた多目的装身具を提供する。【解決手段】多目的装身具１０は、任意の位置で塑性変形可能な芯材１２と、芯材１２を被覆する被覆材１４を備え、被覆材１４が芯材１２の変形に追随して変形可能であることを特徴とする。多目的装身具１０は、複雑な形状の髪型を簡単に作ることができる髪留め具としてだけではなく、首や腕、脚などの人体各部に装着する装身具としても用いることもできる。【選択図】図１
0003153913.tif 000002
【実用新案登録請求の範囲】
【請求項１】
任意の位置で塑性変形可能な芯材と、前記芯材を被覆する被覆材を備え、前記被覆材が前記芯材の変形に追随して変形可能であることを特徴とする多目的装身具。
【請求項２】
前記芯材が、棒状部と、前記棒状部の両端に位置する拡幅部を備えていることを特徴とする請求項１に記載の多目的装身具。
【請求項３】
前記芯材が1つの棒状部材からなり、前記拡幅部が、前記棒状部材の端部を折り曲げて形成されることを特徴とする請求項２に記載の多目的装身具。
【考案の詳細な説明】
【技術分野】
【０００１】
本考案は、髪留め具のほかに装身具としても用いることができる多目的装身具に関する。
【背景技術】
【０００２】
髪型を整える道具として、ヘアピン、ヘアバンドやバレッタなどの髪留め具が多くの女性に愛用されている。これらの髪留め具は髪の毛の質や量、髪型などに応じてそれぞれ使い分けられている。特許文献１、２には、これらの髪留め具では上手く整えることができない特殊な髪型を作り上げるための髪留め具が開示されている。ここに開示された髪留め具は、何れも芯材として変形可能な金属を用いており、髪留め具の周囲に巻き付けながら巻き上げた髪を変形させた金属で留めるというものである。
【先行技術文献】
【特許文献】
【０００３】
【特許文献１】実登３００７０８８号公報
【特許文献２】実登３０２９８９３号公報
【考案の概要】
【考案が解決しようとする課題】
【０００４】
しかし、特許文献１、２に開示された髪留め具を含めた従来の髪留めは、それぞれ整えることができる髪型が限られており、それ１つで複数の髪型に対応できるものではなかった。また、髪を整えるという機能に特化したものであって、髪を装飾するという機能には乏しいものであった。さらには髪以外の人体部分の装飾に用いることはほとんど不可能であった。
【課題を解決するための手段】
【０００５】
本考案は、任意の位置で塑性変形可能な芯材と、前記芯材を被覆する被覆材を備え、前記被覆材が前記芯材の変形に追随して変形可能であることを特徴とする多目的装身具を提供する。
【０００６】
本考案によれば、任意の形状に変形可能な多目的装身具が実現できる。多目的装身具は変形の自由度が高いので、髪留め具として用いれば、複雑な形状の髪型も簡単に作ることができる。さらに、首や腕、脚などの人体各部の装身具として用いることもできる。
【０００７】
被覆材は、芯材の変形に追随して変形可能な程度の柔軟性を有する素材のものであればよく、また色や柄等の装飾性に関わる部分についても特定のものには限定はされないが、例えば博多織などの光沢のある絹織物や革、特殊合繊等を使用したり、表面にファーやスパンコールなどをあしらったりすることで装身具として機能をより高めることができる。
【０００８】
芯材は、軽量で破断しにくく女性でも容易に変形させることができる素材のものが適している。通常は入手しやすく安価なスチール製の針金を使用することができる。針金はビニル被覆されたものが好ましい。ビニル被覆されていれば、錆の発生を防止することができるだけでなく、金属アレルギー症状がある女性でも安心して使用することができる。芯材の素材としては、針金のほかに銅線や真鍮線などの金属や塑性変形が可能な合成樹脂などを用いることができる。
【０００９】
芯材は成人女性の平均的な頭囲より大きな全長であることが好ましい。経済産業省が平成１６年〜１８年にかけて実施した「人間特性基盤整備事業」で収集したデータによれば、世代ごとの成人女性の平均的な頭囲は５４．２ｃｍから５５．４ｃｍの間となっている。髪留め具として用いるためには頭部を囲うことができる程度の全長があることが望ましいので、成人女性の頭部を囲繞した状態で両端部を捻って結合することを考慮し、芯材の全長は６０ｃｍ以上であることが望ましい。
【００１０】
芯材は、棒状部と、棒状部の両端に位置する拡幅部を備えていることが望ましい。拡幅部は線状の棒状部と異なり幅方向への広がりを有する部分である。拡幅部は容易には変形しない部分であり、被覆材の両端部を内側から補強することでよれやねじれ、しわ等の発生を防止する役割を担っている。棒状部は容易に変形させることができる部分であり、多目的装身具の自由度の高い変形を担保している。
【００１１】
芯材を１つの棒状部材で構成すれば、多目的装身具の製作に要する費用を抑えることができる。
【考案の効果】
【００１２】
本考案によれば、様々な髪型を簡単に作ることができるだけでなく、首や腕、脚などに装身具として装着することもできる。
【図面の簡単な説明】
【００１３】
【図１】多目的装身具の平面図
【図２】芯材の平面図
【図３】多目的装身具を髪留めとして用いた例を示す図
【図４】多目的装身具を髪留めとして用いた例を示す図
【図５】多目的装身具を髪留めとして用いた例を示す図
【図６】多目的装身具を髪留めとして用いた例を示す図
【図７】多目的装身具を髪留めとして用いた例を示す図
【図８】多目的装身具をネックレスのように用いた例を示す図
【図９】多目的装身具をブレスレットのように用いた例を示す図
【図１０】多目的装身具をアンクレットのように用いた例を示す図
【図１１】多目的装身具を用いて作ったコサージュの平面図
【考案を実施するための形態】
【００１４】
図１に多目的装身具の構造を示す。多目的装身具１０は、芯材１２と、芯材１２を被覆する袋状の被覆材１４で構成されている。
【００１５】
図２に芯材の構造を示す。芯材１２は１本の針金１６で構成されている。針金１６は女性の力でも容易に曲げたり伸ばしたりできるように直径が１．５ｍｍ程度のものを用いている。針金１６の端部は三角に折り曲げられ、拡幅部１８を形成している。針金１６の先端部分は棒状部２０にテープ２２で固定されている。針金１６の先端部分はテープ２２によって完全に被覆されており、芯材１２には尖った箇所が存在していない。これにより多目的装身具１０は人体にダメージを与えない安全性の高いものになっている。
【００１６】
針金１６はビニル被覆されており、金属アレルギー症状がある女性でも安心して使用できるように配慮されたものになっている。芯材１２の材料としては、針金１６のほかに銅線や真鍮線などの金属や合成樹脂などの塑性変形可能な棒状部材を用いることもできる。
【００１７】
拡幅部１８は被覆材１４の端部が幅方向に潰れたりしないように内側から補強している。これにより被覆材１４の型崩れが起きにくくなり、美観が保たれている。２つの拡幅部１８の間を結ぶ棒状部２０は容易に変形させることができる。また棒状部２０の箇所では被覆材１４が適度に潰れて髪に巻き付けやすくなっている。
【００１８】
拡幅部１８は三角形に限られるものではなく、円形や楕円形、多角形など幅方向に広がりがあればどのような形態のものでもよい。
【００１９】
図３乃至図７に多目的装身具を髪留めとして用いた例を示す。図３は、多目的装身具１０を用いて髪を後ろに纏め上げた例を示している。この髪型は、後ろに纏め上げた髪を多目的装身具１０で支え、両端部３０、３２を額の上あたりで捻って引っ掛けることで簡単に作ることができる。この両端部３０、３２を引っ掛けた部分がリボン結びのような外観を呈し、華やかな雰囲気を演出している。
【００２０】
図４は、多目的装身具１０を用いて髪を一束に纏めた例を示している。この髪型は、多目的装身具１０の一端部３０から他端部３２を髪の根本側から毛先側に向けて螺旋状に巻き付けていくことで簡単に作ることができる。多目的装身具１０を巻き付けた部分は、髪の地色と多目的装身具１０の色柄が交互に表れ、そのコントラストが非常に美しいものになっている。多目的装身具１０の間隔は任意であり、間隔の広狭によってコントラストを自由に変えることができる。
【００２１】
図５は、多目的装身具１０を用いて髪を団子状のシニヨンに纏めた例を示している。この髪型は、最初に図４に示した状態に多目的装身具１０を巻き付け、次に多目的装身具１０を適当な位置で変形させながら髪を根本側から毛先側に重ねていくことで簡単に作ることができる。なお、  図６に示すように、重ね上げた髪を多目的装身具１０で外側から固定するようにして作ることも可能である。
【００２２】
これらの例に示すように、多目的装身具１０はそれ１本で複数の異なる髪形を整えることができ、また整えた髪を華やかに装飾することができるものである。何れの髪型も多目的装身具１０を用いれば短時間で作ることができるので、外出先などでも気軽に髪型を変えることができる。多目的装身具１０は変形の自由度が高く、様々な形にすることができるので、多目的装身具１０を用いれば、使用者の創意工夫によって例示した以外の髪型を作り出すことも可能である。なお、複数本の多目的装身具１０を用いれば、図７に示すように髪を複数の束に纏めることもできる。
【００２３】
図８乃至図１１に多目的装身具の髪留め以外の用途例を示す。図８は多目的装身具１０をネックレスのように用いた例を示している。
【００２４】
図９は多目的装身具１０をアンクレットのように用いた例を示している。手首から前腕にかけて多目的装身具１０を適当な間隔で巻き付けると端部が余ってしまうことがあるので、そのような場合には余った部分で花弁のような飾り４０を作ることもできる。
【００２５】
図１０は多目的装身具１０をアンクレットのように用いた例を示している。足首からふくらはぎにかけて多目的装身具１０を適当な間隔で巻き付けると端部が余ってしまうことがあるので、そのような場合には余った部分で花弁のような飾り５０を作ることもできる。
【００２６】
図１１は多目的装身具１０を用いて作ったコサージュ６０の例を示している。多目的装身具１０は任意の位置での変形が可能であるので、コサージュ６０のような複雑なものであっても容易に作ることができる。
【００２７】
多目的装身具１０は、被覆材１４の両面が異なる色柄や素材のものであってもよい。また被覆材１４がパッチワークのように様々な色柄や素材のものを繋ぎ合わせたものであってもよい。このようにすれば、１つの多目的装身具１０を表裏でバリエーションが異なる２通りの装身具として用いることができる。また、このような多目的装身具１０を捻ると、捻った箇所で表になる面が変わるので、色柄や素材の変化を楽しむことがきる。
【符号の説明】
【００２８】
１０  多目的装身具
１２  芯材
１４  被覆材
１６  針金
１８  拡幅部
２０  棒状部
【図１】
0003153913.tif 000003
【図２】
0003153913.tif 000004
【図３】
0003153913.tif 000005
【図４】
0003153913.tif 000006
【図５】
0003153913.tif 000007
【図６】
0003153913.tif 000008
【図７】
0003153913.tif 000009
【図８】
0003153913.tif 000010
【図９】
0003153913.tif 000011
【図１０】
0003153913.tif 000012
【図１１】
0003153913.tif 000013